(57)【特許請求の範囲】
【請求項１】
胴に図柄が描かれている回転ドラムと、
図柄が描かれていて一部が透明ないし半透明で該回転ドラムの胴に掛けられて該回転ドラムと共回りするプラスチックフィルム製の無端ベルトと、
該無端ベルトの周回軌道の一部を前記回転ドラムから離れさせる軌道保持部材と、
前記無端ベルトを周回駆動する駆動機構と
を備える図柄表示装置であり、
前記回転ドラムは多角柱状であり、その稜に相当する部分に滑り防止材による凸部を設けて前記凸部の間の平坦部を相対的に凹陥させ、前記無端ベルトと前記回転ドラムとを前記凸部だけで接触させる
ことを特徴とする図柄表示装置。
【請求項２】
請求項１記載の図柄表示装置において、
前記回転ドラム、無端ベルトおよび軌道保持部材からなる表示ユニットを複数並設してなることを特徴とする図柄表示装置。
【請求項３】
請求項１または２記載の図柄表示装置において、
前記回転ドラムと前記無端ベルトの一方又は双方をハーフミラーとした
ことを特徴とする図柄表示装置。
【発明の詳細な説明】
【０００１】
【発明の属する技術分野】
本発明は、パチンコ機やスロットマシン等の遊技機に装着されて、当たり外れ等の表示に使用される図柄表示装置に関する。
【０００２】
【従来の技術】
従来、複数の図柄が描かれたドラムやベルトを複数並べ、それぞれを上下方向にスクロールさせて停止させたときに、例えば横方向に並んだ図柄の組合せ等によって当たりあるいは得点を表示する図柄表示装置があり、パチンコ機やスロットマシン等の遊技機に使用されている。
【０００３】
【発明が解決しようとする課題】
従来のドラムやベルトを用いる図柄表示装置では、図柄はドラムやベルトの表面に描かれていたために奥行き（立体感）を感じさせることは難しかった。また、図柄自体を変化させることはできないので、表現上の変化に乏しいという欠点もあった。
【０００４】
本発明は、ドラムとベルトを併用して、奥行き（立体感）と表現上の変化に富む図柄表示装置を提供することを目的としている。
【０００５】
【課題を解決するための手段および発明の効果】
上記課題を解決するための請求項１記載の図柄表示装置は、胴に図柄が描かれている回転ドラムと、図柄が描かれていて一部が透明ないし半透明で該回転ドラムの胴に掛けられて該回転ドラムと共回りするプラスチックフィルム製の無端ベルトと、該無端ベルトの周回軌道の一部を前記回転ドラムから離れさせる軌道保持部材と、前記無端ベルトを周回駆動する駆動機構とを備える図柄表示装置であり、前記回転ドラムは多角柱状であり、その稜に相当する部分に滑り防止材による凸部を設けて前記凸部の間の平坦部を相対的に凹陥させ、前記無端ベルトと前記回転ドラムとを前記凸部だけで接触させることを特徴とする。
【０００６】
この図柄表示装置では、回転ドラムの胴に無端ベルトを掛けて、駆動機構により無端ベルトを周回駆動し、無端ベルトを回転ドラムと共回りさせる。なお、回転ドラムを駆動機構の一部として使用し、回転ドラムにて無端ベルトを駆動する構成としてもよい。
【０００７】
この無端ベルトの周回軌道の一部は軌道保持部材例えば回転ドラムよりも小型のローラによって回転ドラムから離れさせられている。つまり、無端ベルトの周回軌道すなわち無端ベルトの長さは、回転ドラムの胴の周よりも長い。すると、回転ドラムが１回転しても無端ベルトは１周回しない、すなわち両者の回転速度に差が生じるから、回転ドラムの胴に描かれている図柄と、無端ベルトに描かれている図柄との相対位置が変動する。そこで、例えば回転ドラムに背景となる図柄（背景画像）を描いておき、無端ベルトには当たり外れや得点の表示に使用される図柄（判定図柄）を描いて一部を透明ないし半透明にしておけば、逐次変化する背景画像の前を判定図柄が移動するといった表示が可能になる。しかも、
無端ベルトの周回軌道の一部が回転ドラムから離れているから、立体感を出すことができる。
【０００８】
このような表現上の変化や立体感は、照明を、（１）無端ベルトの前面（遊技者側）、（２）無端ベルトと回転ドラムの間、（３）回転ドラムの内部等に設けることや、これらの位置に設けておいて適宜点灯あるいは消灯することで、一層向上させることができる。また、請求項３記載のように無端ベルトと回転ドラムの一方又は双方をハーフミラーとして、上述の（１）〜（３）の位置で照明を変化させれば、表現上の変化や立体感をさらに向上させることができる。
【０００９】
例えば特定の図柄を当たりの図柄と決めておいて単に当たり外れを表示するだけなら無端ベルトと回転ドラムが１組あれば可能であるが、それでは表示における変化に乏しいのは周知のところである。したがって、従来のベルトやドラムを使用する図柄表示装置のように、無端ベルトと回転ドラムの組を複数、例えば３組や４組使用するのが好ましい。請求項２記載の図柄表示装置は、前記回転ドラム、無端ベルトおよび軌道保持部材からなる表示ユニットを複数並設してなるので、そのような使用形態に適している。
【００１０】
また、回転ドラムと無端ベルトのスリップにより、両者の図柄の位置に設定外のずれが生じるおそれがある。そこで、請求項１記載の図柄表示装置では、前記回転ドラムは多角柱状であり、その稜に相当する部分に滑り防止材による凸部を設けて前記凸部の間の平坦部を相対的に凹陥させ、前記無端ベルトと前記回転ドラムとを前記凸部だけで接触させる構成を採用している。このようにすると、稜では無端ベルトとの接触が強まりスリップ防止に有効となる。しかも、その稜には滑り防止材があるので、スリップを確実に予防できる。さらに、無端ベルトと回転ドラムとは凸部だけで接触し無端ベルトと平坦部とが接触することはないから、この平坦部に図柄を描けば、図柄が無端ベルトとの摩擦で傷つくおそれもない。
【００１１】
【発明の実施の形態】
次に、本発明の実施例を図面を参照して説明することにより、発明の実施の形態を具体的に説明する。
【００１２】
【実施例】
図１に示すように、本実施例の図柄表示装置１０は、弾球遊技機の一種であるパチンコ機１２の遊技盤１４に取り付けられて、周知の大当たりに関する当たり外れの表示に使用される。なお、パチンコ機１２の全体的な構成は公知技術に従っているので説明を省略する。
【００１３】
図２および図３に示すように、図柄表示装置１０はケース１６を備えており、そのケース１６の内側に回転ドラム１８、無端ベルト２０、軌道保持部材としての遊動ローラ２２およびテンションローラ２４等を収容している。詳しくは、回転ドラム１８の内側にステッピングモータ２６が配されており、ステッピングモータ２６によって回転ドラム１８を回転駆動する構造である。また、遊動ローラ２２およびテンションローラ２４の軸は回転ドラム１８の軸とほぼ平行で、これら回転ドラム１８、遊動ローラ２２およびテンションローラ２４の回りに無端ベルト２０が巻回されている。テンションローラ２４は、図示省略するばねによって、無端ベルト２０の外周側に付勢されており、それによって無端ベルト２０のたるみを防いでいる。
【００１４】
なお、無端ベルト２０は透明なプラスチックフィルム製で、図示は省略するが、無端ベルト２０の表面には１、３、７、９の数字図柄、ＢＡＲ、ＪＡＣＫＰＯＴ等の図柄が半透明のインクで印刷されている。また、回転ドラム１８は、透明なプラスチック成型品であり、風景を印刷したフィルムが胴１８ａの裏側（内面側）に貼り付けられている。したがって、無端ベルト２０の図柄以外の透明部分および半透明の図柄を透して、回転ドラム１８の風景を見ることができる。
【００１５】
そして、図２に示すように、こうした回転ドラム１８、無端ベルト２０、遊動ローラ２２、テンションローラ２４およびステッピングモータ２６の組が３組並設されており、３本の無端ベルト２０に描かれている図柄の組合せで当たり外れを表示するのである。この当たり外れの表示は従来の図柄表示装置と同様で、横一列に同じ図柄が３つ並べば（例えばＢＡＲ、ＢＡＲ、ＢＡＲと揃えば）当たりの表示である。
【００１６】
この図柄表示装置１０は、ケース１６の開放部を遊技盤１４の表示窓２８に合わせて遊技盤１４の裏面側に取り付けられ、前面は透明プラスチック製の保護板３０で覆われる。したがって、遊技者が無端ベルト２０の各図柄および回転ドラム１８の風景画を見るのに支障はない。
【００１７】
この図柄表示装置１０は上述の構造をしているので、ステッピングモータ２６により回転ドラム１８を回転させると、それに応じて無端ベルト２０も周回する。ところが、無端ベルト２０の長さが回転ドラム１８の外周よりも長いので、回転ドラム１８と無端ベルト２０の回転速度に差が生じる。このため、回転ドラム１８の胴１８ａに描かれている風景と、無端ベルト２０に描かれている各図柄との相対位置が変動し、逐次変化する風景の前を図柄が移動するといった表示になり、表示に変化を与えることができる。しかも、無端ベルト２０の周回軌道の一部が回転ドラム１８から離れているから、立体感を出すこともできる。
［照明配置例］
図４は本発明の図柄表示装置における照明の配置を例示するものである。照明は、例えば回転ドラム４０の内部（ａ）、回転ドラム４０と無端ベルト４２の間（ｂ）あるいは無端ベルト４２の外側（ｃ）に配置することができる。より詳しくは、これらのどれか１箇所、２箇所あるいは３箇所すべてに配置できる。また、いずれの場合もそれぞれ複数の照明を設けることができる。
【００１８】
こうした照明の配置や個数は、図柄表示装置毎に適宜決められればよいが、例えば無端ベルト４２をハーフミラーとして無端ベルト４２の内外（ｂ）、（ｃ）に照明を配置すれば、いずれか一方を点灯させる等によりと表示をさまざまに変化させることができる。同様に、回転ドラム４０をハーフミラーとしてその内外（ａ）、（ｂ）に照明を配したり、回転ドラム４０および無端ベルト４２の双方をハーフミラーとして、図の（ａ）、（ｂ）、（ｃ）の内の２箇所または３箇所すべてに照明を配置して適宜点滅させることで表示を変化させることもできる。
【００１９】
なお、例えば遊動ローラ４４の位置を、矢印（イ）、（ロ）、（ハ）に例示されるように回転ドラム４０に近づけたり遠ざけたりすれば、無端ベルト４２の長さを様々に変化させることができるし、テンションローラ４６も例えば矢印（ニ）に示すように移動させれば、無端ベルト４２と回転ドラム４０との距離を変化させることができる。
［回転ドラムの形状］
図５に例示するように、回転ドラム５０の胴形状を多角柱状にすることもできる。この場合、稜に相当する部分に凸部５２を設けて、凸部５２の間の平坦部５６を相対的に凹陥させた形状にすると、無端ベルト５４と回転ドラム５０とは凸部５２だけで接触することになる。すると、凸部５２での摩擦が強まり無端ベルト５４のスリップを防止できる。特に、凸部５２をゴム（例えばウレタンゴム）等で形成すれば、スリップは確実に防止される。
【００２０】
また、無端ベルト５４と平坦部５６とが接触することはないから、この平坦部５６に図柄を描けば、図柄が無端ベルト５４との摩擦で傷つくおそれもない。
以上、実施例に従って、本発明の実施の形態について説明したが、本発明はこのような実施例に限定されるものではなく、本発明の要旨を逸脱しない範囲でさまざまに実施できることは言うまでもない。
【図面の簡単な説明】
【図１】  実施例の図柄表示装置を装着したパチンコ機の正面図である。
【図２】  実施例の図柄表示装置の斜視図である。
【図３】  実施例の図柄表示装置の側面図である。
【図４】  図柄表示装置における照明の配置例の説明図である。
【図５】  多角柱状の回転ドラムの説明図である。
【符号の説明】
１０…図柄表示装置    １２…パチンコ機    １４…遊技盤
１６…ケース    １８…回転ドラム    １８ａ…胴
２０…無端ベルト    ２２…遊動ローラ    ２４…テンションローラ
２６…ステッピングモータ    ２８…表示窓    ３０…保護板
４０…回転ドラム    ４２…無端ベルト    ４４…遊動ローラ
４６…テンションローラ    ５０…回転ドラム    ５２…凸部
５４…無端ベルト    ５６…平坦部
【図１】
0004086262.tif 000002
【図２】
0004086262.tif 000003
【図３】
0004086262.tif 000004
【図４】
0004086262.tif 000005
【図５】
0004086262.tif 000006